【手続補正書】
【提出日】平成16年5月13日(2004.5.13)
【手続補正１】
【補正対象書類名】特許請求の範囲
【補正対象項目名】全文
【補正方法】変更
【補正の内容】
【特許請求の範囲】
【請求項１】
ポリエーテル含有ポリウレアウレタンであって、該ポリウレアウレタンは、少なくとも部分的に硬化され、かつ両面に硬性コーティングを有する、平面構造の、２．２ｍｍの最大中心厚さを有するレンズとして試験される場合、高衝撃試験によって規定される場合に、１秒間あたり少なくとも１４８フィートの衝撃耐性を有する、ポリエーテル含有ポリウレアウレタン。
【請求項２】
ポリエーテルポリオールから誘導されるブロック部分を含む、請求項１に記載のポリエーテル含有ポリウレアウレタン。
【請求項３】
前記ポリエーテルポリオールが、以下の式：
Ｈ−（Ｏ−ＣＲＲＣＲＲ−Ｙｎ）ａ−（ＣＲＲＣＲＲ−Ｙｎ−Ｏ）ｂ−（ＣＲＲＣＲＲ−Ｙｎ−Ｏ）ｃ−Ｈ
を有し、ここで、Ｒは、水素またはＣ１〜Ｃ６アルキルを表し得；Ｙは、ＣＨ２を表し得；ｎは、０〜６の整数であり得；ａ、ｂ、およびｃは、各々、０〜３００の整数であり得、ここで、ａ、ｂおよびｃは、該ポリオールの重量平均分子量が３２，０００を超えないように選択される、請求項２に記載のポリエーテル含有ポリウレアウレタン。
【請求項４】
７３℃において２，０００ｃＰｓ未満の粘度を有する、請求項１に記載のポリエーテル含有ポリウレアウレタン。
【請求項５】
プレポリマーおよびアミン含有硬化剤を含む、請求項１に記載のポリエーテル含有ポリウレアウレタン。
【請求項６】
前記プレポリマーが、ポリイソシアネートおよび少なくとも１種のポリエーテル含有ポリオール材料を含む、請求項５に記載のポリエーテル含有ポリウレアウレタン。
【請求項７】
前記ポリイソシアネートが、脂肪族ポリイソシアネート、脂環式ポリイソシアネート、芳香族ポリイソシアネート、およびこれらの混合物から選択される、請求項６に記載のポリエーテル含有ポリウレアウレタン。
【請求項８】
前記ポリイソシアネートが、脂肪族ジイソシアネート、脂環式ジイソシアネート、およびこれらの混合物から選択される、請求項７に記載のポリエーテル含有ポリウレアウレタン。
【請求項９】
前記ポリイソシアネートが、シクロヘキシルメタンおよびその異性体混合物から選択される、請求項７に記載のポリエーテル含有ポリウレアウレタン。
【請求項１０】
前記ポリイソシアネートが、４，４’−メチレンビス（シクロヘキシルイソシアネート）のトランス−トランス異性体から選択される、請求項７に記載のポリエーテル含有ポリウレアウレタン。
【請求項１１】
前記ポリイソシアネートが、３−イソシアナト−メチル−３，５，５−トリメチルシクロヘキシル−イソシアネート；メタ−テトラメチルキシレンジイソシアネート（１，３−ビス（１−イソシアナト−１−メチルエチル）−ベンゼン）およびこれらの混合物から選択される、請求項７に記載のポリエーテル含有ポリウレアウレタン。
【請求項１２】
前記プレポリマーが、２．０〜４．５未満のＮＣＯ／ＯＨ当量比を有する、請求項５に記載のポリエーテル含有ポリウレアウレタン。
【請求項１３】
前記ポリエーテル含有ポリオール材料が、ポリエーテルポリオールおよびその混合物から選択される、請求項５に記載のポリエーテル含有ポリウレアウレタン。
【請求項１４】
前記ポリエーテル含有ポリオール材料が、２００〜３２，０００の重量平均分子量を有する、請求項６に記載のポリエーテル含有ポリウレアウレタン。
【請求項１５】
前記ポリエーテル含有ポリオール材料が、２，０００〜１５，０００の数平均分子量を有する、請求項１４に記載のポリエーテル含有ポリウレアウレタン。
【請求項１６】
前記アミン含有硬化剤が、以下の化学式：
【化１】
2005509704.tif 000001
を有する材料およびその混合物から選択され、ここで、Ｒ１およびＲ２が、各々独立して、メチル基、エチル基、プロピル基、およびイソプロピル基から選択され、そしてＲ３が、水素および塩素から選択される、請求項５に記載のポリエーテル含有ポリウレアウレタン。
【請求項１７】
前記アミン含有硬化剤が、４，４’−メチレンビス（３−クロロ−２，６−ジエチルアニリン）である、請求項５に記載のポリエーテル含有ポリウレアウレタン。
【請求項１８】
前記アミン含有硬化剤が、２，４−ジアミノ−３，５−ジエチル−トルエン；２，６−ジアミノ−３，５−ジエチル−トルエン、およびこれらの混合物から選択される、請求項５に記載のポリエーテル含有ポリウレアウレタン。
【請求項１９】
前記アミン含有硬化剤が、１．０  ＮＣＯ／０．６０  ＮＨ２〜１．０  ＮＣＯ／１．２０  ＮＨ２のＮＣＯ／ＮＨ２当量比を有する、請求項５に記載のポリエーテル含有ポリウレアウレタン。
【請求項２０】
ポリエーテル含有ポリウレアウレタンであって、以下：
（ａ）ポリイソシアネートおよび少なくとも１種のポリエーテル含有ポリオールを含む、プレポリマー；ならびに
（ｂ）アミン含有硬化剤、
の反応生成物を含み、ここで、該プレポリマーが、２．０〜４．５未満のＮＣＯ／ＯＨ当量比を有する、ポリエーテル含有ポリウレアウレタン。
【請求項２１】
２．１〜４．０のＮＣＯ／ＯＨ当量比を有する、請求項２０に記載のポリエーテル含有ポリウレアウレタン。
【請求項２２】
ポリエーテルポリオールから誘導されるブロック部分を含む、請求項２０に記載のポリエーテル含有ポリウレアウレタン。
【請求項２３】
前記ポリエーテルポリオールが、以下の式：
Ｈ−（Ｏ−ＣＲＲＣＲＲ−Ｙｎ）ａ−（ＣＲＲＣＲＲ−Ｙｎ−Ｏ）ｂ−（ＣＲＲＣＲＲ−Ｙｎ−Ｏ）ｃ−Ｈ
を有し、ここで、Ｒは、水素またはＣ１〜Ｃ６アルキルを表し得；Ｙは、ＣＨ２を表し得；ｎは、０〜６の整数であり得；ａ、ｂ、およびｃは、各々、０〜３００の整数であり得、ここで、ａ、ｂおよびｃは、該ポリオールの重量平均分子量が３２，０００を超えないように選択される、請求項２２に記載のポリエーテル含有ポリウレアウレタン。
【請求項２４】
７３℃において２，０００ｃＰｓ未満の粘度を有する、請求項２０に記載のポリエーテル含有ポリウレアウレタン。
【請求項２５】
前記ポリエーテル含有ポリウレアウレタンが、プレポリマーおよびアミン含有硬化剤を含む、請求項２０に記載のポリエーテル含有ポリウレアウレタン。
【請求項２６】
前記プレポリマーが、ポリイソシアネートおよび少なくとも１種のポリエーテル含有ポリオール材料を含む、請求項２５に記載のポリエーテル含有ポリウレアウレタン。
【請求項２７】
前記ポリイソシアネートが、脂肪族ポリイソシアネート、脂環式ポリイソシアネート、芳香族ポリイソシアネート、およびこれらの混合物から選択される、請求項２６に記載のポリエーテル含有ポリウレアウレタン。
【請求項２８】
前記ポリイソシアネートが、脂肪族ジイソシアネート、脂環式ジイソシアネート、およびこれらの混合物から選択される、請求項２７に記載のポリエーテル含有ポリウレアウレタン。
【請求項２９】
前記ポリイソシアネートが、シクロヘキシルメタンおよびその異性体混合物から選択される、請求項２６に記載のポリエーテル含有ポリウレアウレタン。
【請求項３０】
前記ポリイソシアネートが、４，４’−メチレンビス（シクロヘキシルイソシアネート）のトランス，トランス異性体から選択される、請求項２６に記載のポリエーテル含有ポリウレアウレタン。
【請求項３１】
前記ポリイソシアネートが、３−イソシアナト−メチル−３，５，５−トリメチルシクロヘキシル−イソシアネート；メタ−テトラメチルキシレンジイソシアネート（１，３−ビス（１−イソシアナト−１−メチルエチル）−ベンゼン）およびこれらの混合物から選択される、請求項２６に記載のポリエーテル含有ポリウレアウレタン。
【請求項３２】
前記プレポリマーが、２．０〜４．５未満のＮＣＯ／ＯＨ当量比を有する、請求項２５に記載のポリエーテル含有ポリウレアウレタン。
【請求項３３】
前記ポリエーテル含有ポリオール材料が、ポリエーテルポリオールおよびその混合物から選択される、請求項２６に記載のポリエーテル含有ポリウレアウレタン。
【請求項３４】
前記ポリエーテル含有ポリオール材料が、２００〜３２，０００の重量平均分子量を有する、請求項２６に記載のポリエーテル含有ポリウレアウレタン。
【請求項３５】
前記ポリエーテル含有ポリオール材料が、２，０００〜１５，０００の数平均分子量を有する、請求項２９に記載のポリエーテル含有ポリウレアウレタン。
【請求項３６】
前記アミン含有硬化剤が、以下の化学式：
【化２】
2005509704.tif 000002
を有する材料およびその混合物から選択され、ここで、Ｒ１およびＲ２が、各々独立して、メチル基、エチル基、プロピル基、およびイソプロピル基から選択され、そしてＲ３が、水素および塩素から選択される、請求項２５に記載のポリエーテル含有ポリウレアウレタン。
【請求項３７】
前記アミン含有硬化剤が、４，４’−メチレンビス（３−クロロ−２，６−ジエチルアニリン）である、請求項２５に記載のポリエーテル含有ポリウレアウレタン。
【請求項３８】
前記アミン含有硬化剤が、２，４−ジアミノ−３，５−ジエチル−トルエン；２，６−ジアミノ−３，５−ジエチル−トルエン、およびこれらの混合物から選択される、請求項２５に記載のポリエーテル含有ポリウレアウレタン。
【請求項３９】
前記アミン含有硬化剤が、１．０  ＮＣＯ／０．６０  ＮＨ２〜１．０  ＮＣＯ／１．２０  ＮＨ２のＮＣＯ／ＮＨ２当量比を有する、請求項２５に記載のポリエーテル含有ポリウレアウレタン。
【請求項４０】
ポリエーテル含有ポリウレアウレタンを調製する方法であって、以下の工程：
（ａ）ポリイソシアネートを、少なくとも１種のポリエーテル含有ポリオールと反応させて、ポリエーテル含有ポリウレアプレポリマーを形成する工程；および
（ｂ）該プレポリマーを、アミン含有硬化剤と反応させる工程、
を包含し、ここで、該プレポリマーが、２．０〜４．５未満のＮＣＯ／ＯＨ当量比を有する、方法。
【請求項４１】
前記ポリエーテル含有ポリウレアウレタンが、２，０００ｃＰｓ未満の粘度を有する、請求項４０に記載の方法。
【請求項４２】
前記ポリエーテル含有ポリウレアウレタンが、プレポリマーおよびアミン含有硬化剤を含む、請求項４０に記載の方法。
【請求項４３】
前記プレポリマーが、ポリイソシアネートおよび少なくとも１種のポリエーテル含有ポリオール材料を含む、請求項４２に記載の方法。
【請求項４４】
前記ポリイソシアネートが、脂肪族ポリイソシアネート、脂環式ポリイソシアネート、芳香族ポリイソシアネート、およびこれらの混合物から選択される、請求項４３に記載の方法。
【請求項４５】
前記ポリイソシアネートが、脂肪族ジイソシアネート、脂環式ジイソシアネート、およびこれらの混合物から選択される、請求項４４に記載の方法。
【請求項４６】
前記ポリイソシアネートが、シクロヘキシルメタンおよびその異性体混合物から選択される、請求項４３に記載の方法。
【請求項４７】
前記ポリイソシアネートが、４，４’−メチレンビス（シクロヘキシルイソシアネート）のトランス−トランス異性体から選択される、請求項４３に記載の方法。
【請求項４８】
前記ポリイソシアネートが、３−イソシアナト−メチル−３，５，５−トリメチルシクロヘキシル−イソシアネート；メタ−テトラメチルキシレンジイソシアネート（１，３−ビス（１−イソシアナト−１−メチルエチル）−ベンゼン）およびこれらの混合物から選択される、請求項４３に記載の方法。
【請求項４９】
前記プレポリマーが、２．１〜４．０未満のＮＣＯ／ＯＨ当量比を有する、請求項４２に記載の方法。
【請求項５０】
前記ポリエーテル含有ポリオール材料が、ポリエーテルポリオールおよびその混合物から選択される、請求項４３に記載の方法。
【請求項５１】
前記ポリエーテル含有ポリオール材料が、２００〜３２，０００の数平均分子量を有する、請求項４３に記載の方法。
【請求項５２】
前記ポリエーテル含有ポリオール材料が、２，０００〜１５，０００の数平均分子量を有する、請求項４６に記載の方法。
【請求項５３】
ポリエーテルポリオールから誘導されるブロック部分を含む、請求項４３に記載の方法。
【請求項５４】
前記ポリエーテルポリオールが、以下の式：
Ｈ−（Ｏ−ＣＲＲＣＲＲ−Ｙｎ）ａ−（ＣＲＲＣＲＲ−Ｙｎ−Ｏ）ｂ−（ＣＲＲＣＲＲ−Ｙｎ−Ｏ）ｃ−Ｈ
を有し、ここで、Ｒは、水素またはＣ１〜Ｃ６アルキルを表し得；Ｙは、ＣＨ２を表し得；ｎは、０〜６の整数であり得；ａ、ｂ、およびｃは、各々、０〜３００の整数であり得、ここで、ａ、ｂおよびｃは、該ポリオールの重量平均分子量が３２，０００を超えないように選択される、請求項４３に記載の方法。
【請求項５５】
前記アミン含有硬化剤が、以下の化学式：
【化３】
2005509704.tif 000003
を有する材料およびその混合物から選択され、ここで、Ｒ１およびＲ２が、各々独立して、メチル基、エチル基、プロピル基、およびイソプロピル基から選択され、そしてＲ３が、水素および塩素から選択される、請求項４２に記載の方法。
【請求項５６】
前記アミン含有硬化剤が、４，４’−メチレンビス（３−クロロ−２，６−ジエチルアニリン）である、請求項４２に記載の方法。
【請求項５７】
前記アミン含有硬化剤が、２，４−ジアミノ−３，５−ジエチル−トルエン；２，６−ジアミノ−３，５−ジエチル−トルエン、およびこれらの混合物から選択される、請求項４２に記載の方法。
【請求項５８】
前記アミン含有硬化剤が、１．０  ＮＣＯ／０．６０  ＮＨ２〜１．０  ＮＣＯ／１．２０  ＮＨ２のＮＣＯ／ＮＨ２当量比を有する、請求項４２に記載の方法。
【請求項５９】
ポリエーテル含有ポリウレアウレタンを含む光学物品であって、該ポリエーテル含有ポリウレアウレタンは、少なくとも部分的に硬化され、かつ両面に硬性コーティングを有する、平面構造の、２．２ｍｍの最大中心厚さを有するレンズとして試験される場合、高衝撃試験によって規定される場合に、１秒間あたり少なくとも１４８フィートの衝撃耐性を有する、光学物品。
【請求項６０】
ポリエーテル含有ポリウレアウレタンを含む光学物品であって、該ポリエーテル含有ポリウレアウレタンは、以下：
（ａ）ポリイソシアネートおよび少なくとも１種のポリエーテル含有ポリオールを含む、プレポリマー；ならびに
（ｂ）アミン含有硬化剤、
の反応生成物を含み、ここで、該プレポリマーが、２．０〜４．５のＮＣＯ／ＯＨ当量比を有する、光学物品。
【請求項６１】
ポリエーテル含有ポリウレアウレタンを含むフォトクロミック物品であって、該ポリエーテル含有ポリウレアウレタンは、少なくとも部分的に硬化され、かつ両面に硬性コーティングを有する、平面構造の、２．２ｍｍの最大中心厚さを有するレンズとして試験される場合、高衝撃試験によって規定される場合に、１秒間あたり少なくとも１４８フィートの衝撃耐性を有する、フォトクロミック物品。
【請求項６２】
ポリエーテル含有ポリウレアウレタンを含むフォトクロミック物品であって、該ポリエーテル含有ポリウレアウレタンは、以下：
（ａ）ポリイソシアネートおよび少なくとも１種のポリエーテル含有ポリオールを含む、プレポリマー；ならびに
（ｂ）アミン含有硬化剤、
の反応生成物を含み、ここで、該プレポリマーが、２．０〜４．５のＮＣＯ／ＯＨ当量比を有する、フォトクロミック物品。